(57)【要約】    【課題】  硬いワックスを剥がす場合であっても良好に作業を実施することができ、また、エッジの縁部の磨耗を回避することができるスキー又はスノーボード用スクレーパを提供することである。    【解決手段】  一定厚さの板（１０）で形成され、板の少なくとも一辺（１０ａ、１０ｂ）が、板の表面（１０ｅ）に対して８６°から８９°の範囲の角度αをなし、かつ、板の裏面（１０ｆ）に対して前記角度αと補角関係にある角度βをなしており、少なくとも一辺（１０ｃ、１０ｄ）に、夾角γが９０°のＶ形の切欠きが設けられ、切欠きの頂部に、一辺（１０ｃ、１０ｄ）から遠去かる方に延びた切り込み（１２ａ）が更に設けられていることを特徴とする。【選択図】  図１
2005168789.tif 000002
【特許請求の範囲】
【請求項１】
スキー又はスノーボード用スクレーパであって、
一定厚さの板で形成され、
前記板の少なくとも一辺が、前記板の表面に対して８６°から８９°の範囲の角度αをなし、かつ、前記板の裏面に対して前記角度αと補角関係にある角度βをなしていることを特徴とするスクレーパ。
【請求項２】
前記角度αが８８°であることを特徴とする請求項１に記載のスクレーパ。
【請求項３】
スキー又はスノーボード用スクレーパであって、
一定厚さの板で形成され、
前記板の少なくとも一辺に、夾角γが９０°のＶ形の切欠きが設けられ、前記切欠きの頂部に、前記一辺から遠去かる方に延びた切り込みが更に設けられていることを特徴とするスクレーパ。
【請求項４】
スキー又はスノーボード用スクレーパであって、
一定厚さの板で形成され、
前記板の少なくとも一辺が、前記板の表面に対して８６°から８９°の範囲の角度αをなし、かつ、前記板の裏面に対して前記角度αと補角関係にある角度βをなしており、
前記一辺以外の少なくとも一辺に、夾角γが９０°のＶ形の切欠きが設けられ、前記切欠きの頂部に、前記切欠きが設けられた前記一辺から遠去かる方に延びた切り込みが更に設けられていることを特徴とするスクレーパ。
【請求項５】
前記角度αが８８°であることを特徴とする請求項４に記載のスクレーパ。
【発明の詳細な説明】
【技術分野】
【０００１】
本発明は、新規なスキー又はスノーボード用スクレーパに関する。
【背景技術】
【０００２】
スキー又はスノーボードを良好に滑走させるため、スキー又はスノーボードの滑走面にワックスを塗ることが一般的に行われている。ワックスは、雪質に適合したものを塗る必要があるため、一度塗ったワックスを剥して新たに別のワックスを塗る場合が数多く発生する。このようにワックスを剥がすのに用いられる道具として、板状のスクレーパが知られている。
【発明の開示】
【発明が解決しようとする課題】
【０００３】
しかしながら、従来のスクレーパでは、面と辺とのなす角度が直角であるため、硬いワックスを剥がそうとすると、必要量以上のワックスを剥がしてしまったり、ワックスを剥がすのに大きな力を必要とするという不都合があった（図４（ｂ）参照）。また、従来のスクレーパには、スキー又はスノーボードのエッジのワックスを剥がすため、Ｖ形の切欠きが設けられているが、エッジのワックスを剥がそうとすると、切欠きがエッジの縁部に当たり、エッジの縁部が磨耗するという不都合があった（図５（ｂ）参照）。
【０００４】
したがって、本発明は、硬いワックスを剥がす場合であっても良好に作業を実施することができ、また、エッジの縁部の磨耗を回避することができるスキー又はスノーボード用スクレーパを提供することを目的としている。
【課題を解決するための手段】
【０００５】
本願請求項１に記載のスキー又はスノーボード用スクレーパは、一定厚さの板で形成され、前記板の少なくとも一辺が、前記板の表面に対して８６°から８９°の範囲の角度αをなし、かつ、前記板の裏面に対して前記角度αと補角関係にある角度βをなしていることを特徴とするものである。
【０００６】
本願請求項２に記載のスキー又はスノーボード用スクレーパは、前記請求項１のスクレーパにおいて、前記角度αが８８°であることを特徴とするものである。
【０００７】
本願請求項３に記載のスキー又はスノーボード用スクレーパは、一定厚さの板で形成され、前記板の少なくとも一辺に、夾角γが９０°のＶ形の切欠きが設けられ、前記切欠きの頂部に、前記一辺から遠去かる方に延びた切り込みが更に設けられていることを特徴とするものである。
【０００８】
本願請求項４に記載のスキー又はスノーボード用スクレーパは、一定厚さの板で形成され、前記板の少なくとも一辺が、前記板の表面に対して８６°から８９°の範囲の角度αをなし、かつ、前記板の裏面に対して前記角度αと補角関係にある角度βをなしており、前記一辺以外の少なくとも一辺に、夾角γが９０°のＶ形の切欠きが設けられ、前記切欠きの頂部に、前記切欠きが設けられた前記一辺から遠去かる方に延びた切り込みが更に設けられていることを特徴とするものである。
【０００９】
本願請求項５に記載のスキー又はスノーボード用スクレーパは、前記請求項４のスクレーパにおいて、前記角度αが８８°であることを特徴とするものである。
【発明の効果】
【００１０】
本発明のスクレーパによれば、面と辺のなす角度αを８６°〜８９°（最も好ましくは８８°）になるように構成したので、硬いワックスを剥がす場合であっても、必要量以上のワックスを剥がしてしまうおそれがなくなり、また、ワックスを剥がすのに必要以上に大きな力を要しなくなり、ワックス剥がし作業を良好に行うことが可能になった。また、本発明のスクレーパによれば、エッジのワックスを剥がす際、エッジの縁部の磨耗を回避することが可能になった。
【発明を実施するための最良の形態】
【００１１】
次に図面を参照して、本発明の好ましい実施の形態に係るスキー又はスノーボード用スクレーパについて詳細に説明する。図１は、本発明の好ましい実施の形態に係るスキー又はスノーボード用スクレーパを示した斜視図である。図１において全体として参照符号１０で示される本発明の好ましい実施の形態に係るスキー又はスノーボード用スクレーパは、対向する一対の長辺１０ａ、１０ｂ及び対向する一対の短辺１０ｃ、１０ｄと表面１０ｅ及び裏面１０ｆとを有する一定厚さの矩形板で形成されている。スクレーパ１０は、好ましくは、磨耗しにくい任意の材料（例えば、アクリル樹脂等の合成樹脂材料）で作られる。
【００１２】
スクレーパの一方の長辺１０ａは、図２（ｂ）に示されるように、表面１０ｅに対して鋭角αをなし、裏面１０ｆに対して鈍角βをなしている。鋭角αと鈍角βは、互いに補角の関係（即ち、α＋β＝１８０°）にある（これは、長辺１０ａが平面であることを意味する）。本発明者が種々のケースを比較検討した結果、良好な剥がし作業を可能にするには、鋭角αは、８６°から８９°の範囲（従って、この場合、鈍角βは、９１°から９４°の範囲）にあるのが好ましいことを見い出した。また、鋭角αは８８°（従って、この場合、鈍角βは９２°）であるのが最も好ましいことを見い出した。
【００１３】
なお、裏面１０ｆに対して鋭角αをなし、表面１０ｅに対して鈍角βをなすように、スクレーパの長辺１０ａを形成してもよい。
【００１４】
スクレーパの他方の長辺１０ｂも、長辺１０ａと同様に、表面１０ｅに対して鋭角αをなし、裏面１０ｆに対して鈍角β（＝１８０°−α）をなしている。
【００１５】
なお、長辺１０ａと同様に、裏面１０ｆに対して鋭角αをなし、表面１０ｅに対して鈍角βをなすように、スクレーパの長辺１０ｂを形成してもよい。
【００１６】
スクレーパの一方の短辺１０ｃには、図３に示されるように、ほぼ中央の個所に、夾角γが９０°のＶ形の切欠き１２が設けられ、切欠き１２の頂部に、短辺１０ｃから遠去かる方へ切り込み１２ａが更に設けられている。切り込み１２ａの幅ｘは好ましくは、０．５ｍｍ±０．３ｍｍである。
【００１７】
スクレーパの他方の短辺１０ｄにも、短辺１０ｃと同様に、夾角γが９０°のＶ形の切欠き１２が設けられ、切欠き１２の頂部に、短辺１０ｄから遠去かる方に延びた切り込み１２ａが更に設けられている。
【００１８】
次に、以上のように構成されたスクレーパ１０の使用について説明する。図４は、スキー又はスノーボード滑走面のワックスを剥がす状態を示した図である。本発明のスクレーパ１０を使用する場合は、硬いワックスのときには、角度αの部分をワックス面に当て、手前に水平に引いて、ワックスを剥がす（図４（ａ）参照）。従来のスクレーパでは、ワックスに当てる部分が直角であるため、手前に引くと、図４（ｂ）に示されるように、力の作用方向が下向きになり、ワックスを掘り起こしてしまう（図４（ａ）のように、水平に引こうとすると、かなり大きな力が必要となる）。なお、軟らかいワックスのときには、角度βの部分をワックス面に当てて使用する。
【００１９】
スキー又はスノーボードのエッジのワックスを剥がそうとする場合には、切欠き１２をエッジに当てて、手前に水平に引くが、切り込み１２ａがエッジの縁部のところに位置するので、エッジの縁部が磨耗することはない（図５（ａ）参照）。従来のスクレーパでは、図５（ｂ）に示されるように、エッジの縁部に切欠きが接触するため、エッジの縁部が磨耗してしまう。
【００２０】
本発明は、以上の発明の実施の形態に限定されることなく、特許請求の範囲に記載された発明の範囲内で、種々の変更が可能であり、それらも本発明の範囲内に包含されるものであることはいうまでもない。
【００２１】
例えば、前記実施の形態では、スクレーパ１０は矩形の板であるが、図６に示されるように、他の形状、例えば台形状や三角形状の板を用いてもよい。また、前記実施の形態では、対向する一対の辺の両方に、角度α、βが設けられ、或いは、切欠き１２が形成されているが、少なくとも一辺に、角度α、βが設けられ、或いは、切欠き１２が形成されていればよい。さらに、前記実施の形態では、１枚の板に、角度α、βと切欠き１２の両方が設けられているが、いずれか一方のみを設けてもよい。
【図面の簡単な説明】
【００２２】
【図１】本発明の好ましい実施の形態に係るスキー又はスノーボード用スクレーパを示した斜視図である。
【図２】図２（ａ）は、図１の線２ａ−２ａに沿って見た図、図２（ｂ）は、スクレーパの縁部の拡大図である。
【図３】スクレーパの切欠きを示す拡大平面図である。
【図４】図４（ａ）は、図１のスクレーパを用いてスキー又はスノーボードの滑走面のワックスを剥がす作業を示した図、図４（ｂ）は、従来のスクレーパを用いてスキー又はスノーボードの滑走面のワックスを剥がす作業を示した図である。
【図５】図５（ａ）は、図１のスクレーパを用いてスキー又はスノーボードのエッジのワックスを剥がす作業を示した図、図５（ｂ）は、従来のスクレーパを用いてスキー又はスノーボードのエッジのワックスを剥がす作業を示した図である。
【図６】別の実施の形態に係るスキー又はスノーボード用スクレーパを示した斜視図である。
【符号の説明】
【００２３】
１０  スキー又はスノーボード用スクレーパ
１０ａ、１０ｂ  長辺
１０ｃ、１０ｄ  短辺
１０ｅ  表面
１０ｆ  裏面
１２  切欠き
【図１】
2005168789.tif 000003
【図２】
2005168789.tif 000004
【図３】
2005168789.tif 000005
【図４】
2005168789.tif 000006
【図５】
2005168789.tif 000007
【図６】
2005168789.tif 000008